(57)【特許請求の範囲】
【請求項１】
光ファイバーによる高速通信に使用される通信設備であって、
電子的に識別可能なタグを複数付した通信ケーブルと、
電子的に識別可能なタグを付したクロージャと、
電子的に識別可能なタグを付した前記クロージャの端子と、
一端が前記クロージャの端子に接続された、電子的に識別可能なタグを複数付した引込み線と、
前記引込み線の他端が接続された、電子的に識別可能なタグを付した終端装置とを備え、
前記通信ケーブルの複数のタグの情報と、前記クロージャのタグの情報と、前記クロージャの端子のタグの情報と、前記引込み線の複数のタグの情報と、前記終端装置のタグの情報とを対応付けて布設情報を作成したことを特徴とする通信設備の布設情報を管理する布設情報管理システムであって、
前記引込み線の撤去時に、前記布設情報に基づいて、撤去対象となる引込み線が接続されたクロージャの端子を特定するようにしたことを特徴とする布設情報管理システム。
【請求項２】
前記布設情報に含まれる引込み線のタグの情報に基づいて、前記クロージャの端子を特定することを特徴とする請求項１に記載の布設情報管理システム。
【請求項３】
前記布設情報に含まれる終端装置のタグの情報に基づいて、前記クロージャの端子を特定することを特徴とする請求項１に記載の布設情報管理システム。
【発明の詳細な説明】
【技術分野】
【０００１】
本発明は、光ファイバー等の通信ケーブル及び通信ケーブルの布設作業及び布設ケーブル保守管理において有用な、通信設備、通信ケーブル布設方法、及び布設情報管理システムに関するものである。
【背景技術】
【０００２】
光ファイバー等の通信網において、布設する光ケーブル等のケーブル類の情報（製造者、製造年、型式、レングスマークなど）は、そのケーブルの外皮に一定間隔で印字されている。これらのケーブル類の情報は、布設後の保守管理のために必要となるが、経年劣化や外部要因により印字が消失する恐れがある。そのため、従来は製造者、製造年、型式などの製品情報を別途手作業により転記し、またレングスマークに基づいてケーブル長を計算するなどして管理していた。
【０００３】
一方、予めケーブルに記録された情報を利用してケーブル布設の作業情報を提供する発明として、特許文献１には、ケーブルＩＤに関連付けられた作業情報をダウンロードするとともに、ケーブルに貼り付けられたＲＦＩＤ（Ｒａｄｉｏ  Ｆｒｅｑｕｅｎｃｙ  Ｉｄｅｎｔｉｆｉｃａｔｉｏｎ）タグからケーブルＩＤを読み取り、携帯情報端末上に作業情報を表示するようにした発明が記載されている。
【先行技術文献】
【特許文献】
【０００４】
【特許文献１】特開２００８−１７１１８６号公報
【発明の概要】
【発明が解決しようとする課題】
【０００５】
支線・幹線布設作業の問題点を説明する。
図１にケーブルの布設図，図２に丸ケーブル１０の構造を示す。
幹線の布設作業では、幹線ケーブル１ａをクロージャ３ａへ配線する。支線の布設作業では、支線ケーブル１ｂをクロージャ３ｂへ配線する。実際の作業では、作業者９が高所作業車８の作業台の上で心線１２を１本ずつクロージャ３の端子へ接続する。ケーブル１０の中心部にある心線１２にはその皮膜に識別コードが印刷されており、その識別コードは、青い線と青い点線というように線の色と線種を組み合わせて生成されたもので、現場ではこのコードを目視で確認して配線作業を行う。この作業では、細い線の皮膜に印刷された線の色と線種を肉眼で確認するために、視力が衰えると作業ができなくなるという問題がある。働き盛りのベテラン作業員が、わずかに老眼になっただけで第１線から退かなければならないわけだから、事は重大である。
この作業は基本的に屋外で行われるため、風が吹いたり、大型車が通行したりすると、ケーブルも作業台も共に振動し、目視での識別コード確認は困難である。更に、厳冬期の柱上作業においては、雪交じりの強風の中、高所作業車のバケットの上で強風にさらされながら震える指先で心線の皮膜を剥がして、識別コードを確認しながら何１０本もファイバを接続しなければならない。かかる作業においては、熟練のみならず、強靭な精神力と体力も完備していなければならず、作業は困難を極める。にも関わらず、わずかな老眼で職を失うことになるから非常としか言いようがない。
つまり心線１２をクロージャ３の端子へ接続する作業では、心線１２の識別が識別コードの目視により行われるために、作業者９の体調や現場の作業条件に影響を受け易いという問題がある。
【０００６】
加入者宅５へ引込み線２を布設する場合の問題点を説明する。図３に、引込み線２の構造を示す。
引込み線２の心線２２をクロージャ３ｂへ配線する作業では、作業者９は作業車８の作業台に乗って、地上約５メートル以上の高所で配線工事を行う。引込み線２の心線２２には一般的に識別コードが印刷されていない。業者によっては、心線２２にラベルを付けて識別していることもあるが、このラベルは、施行時期や施行業者により異なっているために、一般的に使用出来ない。ラベルの材質にもよるが、ラベルの経年劣化も問題になる。また、台風など災害時に引込み線の途中で切断された時は、始点まで辿らなければ接続先が判別できない。
つまり引込み線２を加入者宅５へ配線する作業では、引込み線に識別コードが付されていないために、ラベルを付与しなければならないが、統一した識別コードが付与されにくく、線の途中にはラベルを付与できないという問題がある。
【０００７】
引込み線を撤去する場合の問題点を説明する。
クロージャ３ｂから加入者宅５へ配線された引込み線の長さは、電柱を３，４本経由しているから、総延長は１５０メートル程度になる。また、クロージャからは最大で１６本の引込み線が出ているから、螺旋ワイヤーの中には数本の引込み線が通っており、作業者はその中から対象となる１本を選び出して撤去しなければならない。
一般的には、クロージャ３ｂに接続されている引込み線２と加入者宅５との対応がついていない。従って、引込み線を撤去するときには、クロージャ３ｂの端子から引込み線を撤去することができないので、加入者宅５の側から引込み線を辿りながら，引込み線を撤去する必要がある。引込み線を辿るには、高所作業車を電線に沿って走行させながら、数本の引込み線から対象となる１本を順に辿りながら撤去している。従って、撤去作業は大変な作業となる。
ところで、もし、クロージャ３ｂの端子から引込み線をはずすことができたら、加入者宅５の側から線を引っ張れば撤去できるので、撤去作業は非常に簡単になる。
つまり引込み線２を撤去する作業では、引込み線に識別コードが付されていないために、クロージャ３ｂの端子から引込み線をはずすことができないという問題がある。そのために引込み線の撤去作業では、高所作業車を使用して加入者宅５から辿りながら撤去しなければならない
【０００８】
台風災害などで、引込み線の一部が途中で断線した場合の問題点について説明する。
台風災害で、クロージャ３ｂとお客さま宅とのあいだでケーブルが断線した場合、断線箇所を調べるのは困難なことが多い。通常は、お客さま宅の側からバケット車を使ってケーブルを辿りながら，引込み線を交換していた。
【０００９】
沿線火災などの事故でケーブルが断線した場合は、事故があった場所の引込み線を全て交換する。この作業においても、クロージャ３ｂに接続されている引込み線２とお客さま宅との対応がついていないので、お客さま宅の側からバケット車を使ってケーブルを辿りながら，引込み線を撤去していた。
【００１０】
電柱の支障移転に対応する場合の問題について説明する。
電柱の支障移転では、クロージャ３ｂに接続されている引込み線２とお客さま宅との対応がついていないので、お客さま宅の側からバケット車を使ってケーブルを辿りながら，引込み線を撤去していた。
【００１１】
また、台風災害や事故等の障害発生時や電柱の支障移転に対応する場合には、関連する電柱から影響のあるケーブルを特定する必要があるが、手作業で情報を整理している。
【００１２】
以上のことから、光ケーブルや心線、電柱、クロージャを目視によらず識別できる方法と得られた情報の一元管理が課題である。
言い換えると、ケーブルを電子的に識別し，データベースで情報を管理するための方法と装置の開発が課題である。
【００１３】
一方、特許文献１に記載された発明は、予めケーブルに記録された情報を利用するものではあるが、あくまでも布設作業のための情報を提供するものであり、布設後の保守管理に利用することはできない。
【００１４】
本発明は、上記課題を解決するものであり、光ファイバー等の通信網において、ケーブル布設後の保守管理に必要な布設情報を、容易に作成し管理することの可能な布設情報管理システムを提供するものである。
【課題を解決するための手段】
【００１５】
請求項１に係る発明の布設情報管理システムは、光ファイバーによる高速通信に使用される通信設備であって、電子的に識別可能なタグを複数付した通信ケーブルと、電子的に識別可能なタグを付したクロージャと、電子的に識別可能なタグを付した前記クロージャの端子と、一端が前記クロージャの端子に接続された、電子的に識別可能なタグを複数付した引込み線と、前記引込み線の他端が接続された、電子的に識別可能なタグを付した終端装置とを備え、前記通信ケーブルの複数のタグの情報と、前記クロージャのタグの情報と、前記クロージャの端子のタグの情報と、前記引込み線の複数のタグの情報と、前記終端装置のタグの情報とを対応付けて布設情報を作成したことを特徴とする通信設備の布設情報を管理する布設情報管理システムであって、前記引込み線の撤去時に、前記布設情報に基づいて、撤去対象となる引込み線が接続されたクロージャの端子を特定するようにしたことを特徴とする。
【００１６】
電子的に識別可能なタグの一例としては、ＲＦＩＤタグを用いることができ、局舎Ｓから加入者宅５に至る通信設備に、電子的に識別可能なＲＦＩＤタグを付して、その設備がどこに接続されているかを識別可能とした。
幹線１ａに使用される丸ケーブル１０には、従来のレングスマークに加えてＲＦＩＤタグ１１を付ける。
支線１ｂに使用される丸ケーブル１０には、従来のレングスマークに加えてＲＦＩＤタグ１１を付ける。
丸ケーブル１０を電柱４に架設するときは、従来の共架札４４に、ＲＦＩＤタグ４１を付ける。
引込み線２に使用されるドロップケーブル２０には、ＲＦＩＤタグ２１を付ける。
幹線を支線に分岐するクロージャ３ａには、ＲＦＩＤタグ３１を付け、クロージャの端子にはＲＦＩＤタグ１４を付ける。
支線を引込み線に分岐するクロージャ３ｂには、ＲＦＩＤタグ３１を付け、クロージャの上流側端子にはＲＦＩＤタグ１４を、下流側端子にはＲＦＩＤタグ２４を付ける。
加入者宅５に設置する家庭用ファイバ終端装置５１には、ＲＦＩＤタグ５２を付ける。
これにより、幹線から支線への分岐を追跡可能にした。
【００２５】
請求項２に係る発明は、請求項１に記載の布設情報管理システムにおいて、前記布設情報に含まれる引込み線のタグの情報に基づいて、前記クロージャの端子を特定することを特徴とする。
【００２６】
請求項３に係る発明は、請求項１に記載の布設情報管理システムにおいて、前記布設情報に含まれる終端装置のタグの情報に基づいて、前記クロージャの端子を特定することを特徴とする。
【発明の効果】
【００２７】
本発明によれば、ケーブル布設時においては、ケーブル及び心線を識別する場合、丸ケーブルの心線をクロージャ端子に接続し、ＲＦＩＤタグを付け、電子的方法により接続先や加入者を識別してデータベースに登録することができるようになる。一旦データベースに登録したら、以後はタグの情報を電子的に読んでデータベースを検索すれば、丸ケーブルの心線やクロージャなどを電子的に識別することができる。この方法によれば、従来のように識別コードを目視確認する必要が無いため、視力に頼らず作業できるようになる。従って、老眼になった熟練作業員が視力のハンデを負うことなく作業に従事できる。
【００２８】
更に、通信回線を利用してオンラインでデータベースへ接続すると、接続先や加入者を現場で確認することが可能になる。それにより、作業のミスを防ぐとともに作業の安全性を高めることができる。
【００２９】
本発明によれば、ケーブル撤去時においては、クロージャの端子位置で、どの引込線が加入者宅に接続されているかを電子的に調べることができる。従って、クロージャの端子台から引込み線をはずし、加入者宅の側から引込み線を引っ張って撤去することができる。
【００３０】
本発明によれば、電柱の支障移転に対応する場合には、切断箇所において，クロージャ及び加入者宅を識別できる。
【００３１】
本発明によれば、台風災害や事故等の障害発生時においては、ケーブル断線など障害の起きた場所で，クロージャ及び加入者宅を識別できる。
【００３５】
以上、本発明によれば、光ファイバー等の通信網とその布設工事、保守作業において、ケーブルの布設作業時及びケーブル布設後の保守管理に必要な布設情報を作成し管理することで、従来不可能であった目視に因らない通信ケーブルや心線の識別、作業対照物の確認、災害時の影響範囲の予測などが可能になる。
【図面の簡単な説明】
【００３６】
【図１】本発明の実施形態に係る布設ケーブルの布設図である。
【図２】丸ケーブルを示す図である。
【図３】ドロップケーブルを示す図である。
【図４】クロージャを示す図である。
【図５】電柱を示す図である。
【図６】幹線・支線の布設作業を示す図である。
【図７】引込み線の布設作業を示す図である。
【図８】ＲＦＩＤの読取／書込作業を示す図である。
【図９】布設情報管理システムのシステム構成図である。
【図１０】幹線・支線の布設作業を示すフローチャートである。
【図１１】ファンクションキーの構成を示す図である。
【図１２】引込み線の布設作業を示すフローチャートである。
【図１３】管理サーバの構成図である。
【図１４】幹線データベースの設計情報テーブルを示す図である。
【図１５】幹線データベースのケーブル情報テーブルを示す図である。
【図１６】幹線データベースの電柱情報テーブルを示す図である。
【図１７】ドロップケーブルデータベースの設計情報テーブルを示す図である。
【図１８】ドロップケーブルデータベースのケーブル情報テーブルを示す図である。
【図１９】ドロップケーブルデータベースの電柱情報テーブルを示す図である。
【図２０】通信ケーブル系統図である。
【図２１】クロージャ内の端子接続図である。
【発明を実施するための形態】
【００３７】
本実施形態に係る布設情報管理システムは、光ファイバー等の通信ケーブルの布設作業及び保守管理において，ケーブルの布設に関する情報を収集し、保守管理を行うシステムである。
【００３８】
１．機器の説明
（１）通信網
まず、従来の通信ケーブルについて説明する。図１は、一般的な通信ケーブルの布設図である。幹線１ａは、局舎Ｓから、国道などの主要な幹線道路に沿って電柱に電力線や電話線などと共架して布設される。幹線道路と県道や市道の分岐点では、分岐装置であるクロージャ３ａを設置して、クロージャ３ａを介して幹線１ａを支線１ｂに分岐する。
幹線道路と一般住宅街の生活道路の分岐点では、分岐装置であるクロージャ３ａを設置して、支線１ｂを接続する。支線１ｂは、一般住宅街の生活道路に沿って電柱に電力線や電話線などと共架して布設され、住宅の密集した地点の電柱上に、クロージャ３ｂが設置され、クロージャ３ｂから各加入者宅５へ引込み線２が布設される。また、支線１ｂの残りは、更に生活道路に沿って電柱に電力線や電話線などと共架して布設される。
【００３９】
ａ．幹線・支線
幹線１ａ又は支線１ｂの布設について説明する。図６に幹線・支線の布設について示す。図５に電柱への通信ケーブル共架について示す。
幹線１ａ又は支線１ｂの布設には、丸ケーブル１０が用いられる。一般的に、電柱は「電柱番号」で管理されており、布設作業では電柱番号を参照して電柱を確認しながら共架が行われる。作業では、まず、電柱４に支持具４２を取り付け、支持具４２の冶具にテンションワイヤー６を架設する。
次に、テンションワイヤー６に螺旋状ワイヤー７を通し、螺旋状ワイヤー７の中へ丸ケーブル１０を通す。丸ケーブル１０を支持具４２へ架設するときは、直径１メートル程度に巻いて余長を確保する。
【００４０】
ｂ．引込み線
次に引込み線２の布設について説明する。図７に引込み線２の布設作業の状況を示す。引込み線の布設には、ドロップケーブル２０が用いられる。引込み線２は、クロージャ３ｂを起点として、螺旋状ワイヤー７の中をテンションワイヤー６に沿って布設される。
【００４１】
（２）通信ケーブル
ａ．丸ケーブル
幹線１ａや支線１ｂには通常、丸ケーブル１０が用いられる。図２に丸ケーブル１０の構造を示す。丸ケーブル１０はその中心に光ファイバーの心線１２の束があり、周囲を丈夫な皮膜で覆われている。心線１２の数は規格によって異なるが、一般的に１０〜２０００本である。
丸ケーブルの外皮には一定間隔でレングスマークが印刷してある。従来のケーブル布設作業では、レングスマークを記録して長さを割り出していた。
【００４２】
本実施形態においては、丸ケーブル１０の外皮に、長さ方向に沿って一定間隔に複数のＲＦＩＤタグ１１が貼付されている。ＲＦＩＤタグ１１には、丸ケーブル１０のケーブル情報が記録されており、このＲＦＩＤタグ１１から、ＲＦＩＤ読取／書込装置７０を用いて、ＲＦＩＤの値を読み、ＲＦＩＤ値をキーとして幹線データベース１２０を検索すると、接続されているクロージャ３ａ，３ｂや架設されている電柱４などを検索することができる。
【００４３】
丸ケーブル１０のＲＦＩＤタグ１１に予め記録される情報としては、「製造者」、「製造年」、「型式」、「製造番号」、「距離」などが挙げられる。「距離」の情報は、丸ケーブル１０の予め定めた起点からの距離であってもよいし、隣のタグからの距離であっても良い。
【００４４】
丸ケーブル１０にＲＦＩＤタグが付されていないときには、ＲＦＩＤタグを付ける。タグを付ける方法としては、接着剤でケーブルに貼り付けてもよいし、耐候型の両面テープで貼り付けても良いし、針金や紐で縛り付けてもよい。
【００４５】
また、ＲＦＩＤタグの種類によっては、ＲＦＩＤ読取／書込装置により、丸ケーブル１０のＲＦＩＤタグ１１に新たなケーブル情報を書き込むことができる。
ＲＦＩＤに書き込む情報としては、「距離」、「工事日」、「ＧＰＳデータ」などがある。「距離」の情報は、丸ケーブル１０の予め定めた起点からの距離であってもよいし、隣のタグからの距離であってもよい。
【００４６】
ｂ．ドロップケーブル
ドロップケーブル２０は、光ファイバーの心線２２とテンションワイヤー２３を組み合わせた構造になっている。図３にドロップケーブル２０の一例を示す。この図では、２本のテンションワイヤー２３の間に心線２２を配置し、テンションワイヤー２本を割けばその間から心線が出てくる構造になっている。
【００４７】
本実施形態においては、ドロップケーブル２０の外皮に、長さ方向に沿って一定間隔に複数のＲＦＩＤタグ２１が貼付されている。
前記ＲＦＩＤタグ２１には、ドロップケーブル２０のケーブル情報が記録されており、このＲＦＩＤタグ２１から、ＲＦＩＤ読取／書込装置７０を用いて、ＲＦＩＤの値を読み、ＲＦＩＤ値をキーとしてドロップケーブルデータベース１３０を検索すると、お客さま番号や接続されているクロージャ３ｂ、架設されている電柱４などを検索することができる。
【００４８】
ドロップケーブル２０のＲＦＩＤタグ２１に予め記録される情報としては、「製造者」、「製造年」、「型式」、「製造番号」、「距離」などが挙げられる。「距離」の情報は、ドロップケーブル２０の予め定めた起点からの距離であってもよいし、隣のタグからの距離であっても良い。
【００４９】
ドロップケーブル２０にＲＦＩＤタグが付されていないときには、ＲＦＩＤタグを付ける。タグを付ける方法としては、接着剤でケーブルに貼り付けてもよいし、耐候型の両面テープで貼り付けても良いし、針金や紐で縛り付けてもよい。
【００５０】
また、ＲＦＩＤタグの種類によっては、ＲＦＩＤ読取／書込装置により、ドロップケーブル２０のＲＦＩＤタグ２１に新たなケーブル情報を書き込むことができる。
ＲＦＩＤに書き込む情報としては、「距離」、「工事日」、「ＧＰＳデータ」などがある。「距離」の情報は、ドロップケーブル２０の予め定めた起点からの距離であってもよいし、隣のタグからの距離であっても良い。
【００５１】
（３）その他構成機器
ａ．クロージャ
図４にクロージャ３ｂを示す。丸ケーブル１０がクロージャ３ｂに接続され、内部で分岐してドロップケーブル２０に接続されている。クロージャ３ｂの内部では、丸ケーブル１０の心線１２と、ドロップケーブル２０の中の心線２２が、光カプラや融着接続トレイなどを介して接続されている。
【００５２】
クロージャ３ｂには、クロージャを識別するためにＲＦＩＤタグ３１が貼付されている。
このＲＦＩＤタグ３１から、携帯情報端末６０を用いて、ＲＦＩＤの値を読み、ＲＦＩＤ値をキーとして幹線データベース１２０または、ドロップケーブルデータベース１３０を検索すると、クロージャ３ｂに接続されている支線１ｂや引込み線２を検索する事ができる。また、引込み線２のＲＦＩＤ２１の読み取り値をキーとしてお客さま番号や架設電柱４などを検索することができる。
【００５３】
クロージャ３ｂにＲＦＩＤタグが付されていないときには、ＲＦＩＤタグを付ける。タグを付ける方法としては、接着剤でケーブルに貼り付けてもよいし、耐候型の両面テープで貼り付けても良いし、針金や紐で縛り付けてもよい。
【００５４】
クロージャ３ｂの端子にＲＦＩＤタグが付されていないときには、ＲＦＩＤタグを付ける。タグを付ける方法としては、接着剤でケーブルに貼り付けてもよいし、耐候型の両面テープで貼り付けても良いし、針金や紐で縛り付けてもよい。
【００５５】
また、ＲＦＩＤタグの種類によっては、ＲＦＩＤ読取／書込装置により、クロージャ３ｂのＲＦＩＤタグ３１に新たなケーブル情報を書き込むことができる。
ＲＦＩＤに書き込む情報としては、「ＧＰＳ情報」などがある。
【００５６】
（４）電柱への共架
図５に丸ケーブル１０の電柱４への共架の状態を示す。電柱４に支持具４２を取り付け、支持具４２へケーブルを固定する。ケーブルには共架札４４が取り付けられており、余長をとるために２，３回巻いてあることもある。こうして余長を取るので、ケーブルの長さから、実際の位置を正確に割り出すことが困難になっている。
【００５７】
電柱の下部には、電柱番号４３が書かれた札やプレートなどが取り付けられており、そこに電柱番号を記入したＲＦＩＤタグ４５が貼付される。このＲＦＩＤタグ４５から、携帯情報端末６０を用いて、ＲＦＩＤの値を読み、ＲＦＩＤ値をキーとして幹線データベース１２０またはドロップケーブルデータベース１３０の電柱情報テーブルを検索すると、丸ケーブル１０またはドロップケーブル２０を検索することができる。また、ドロップケーブル２０をキーとしてお客さま番号などを検索することができる。
【００５８】
前記共架札４４にはＲＦＩＤタグ４１が貼付される。このＲＦＩＤタグ４１から、携帯情報端末６０を用いて、ＲＦＩＤの値を読み、ＲＦＩＤ値をキーとして幹線データベース１２０またはドロップケーブルデータベース１３０の電柱情報テーブルを検索すると、丸ケーブル１０またはドロップケーブル２０を検索することができる。また、ドロップケーブル２０をキーとしてお客さま番号などを検索することができる。
【００５９】
また、ＲＦＩＤタグの種類によっては、ＲＦＩＤ読取／書込装置により、ＲＦＩＤタグ４１に新たなケーブル情報を書き込むことができる。ＲＦＩＤに書き込む情報としては、「ＧＰＳ情報」などがある。
【００６０】
２．システム構成
（１）ネットワーク構成
図９に布設情報管理システムのシステム構成の一例を示す。本実施形態に係るネットワーク９０は、構内ＬＡＮであっても良いし、インターネットを使用した専用線によるネットワークでも良い。現場から各サーバへ接続するために携帯電話やＰＤＡを備えていてもよい。また、携帯電話と接続せず、必要なデータを事務所でＰＤＡへダウンロードして現場へ持ち込む形式のオフラインシステムでもよい。
（２）システム構成
本実施形態に係る布設情報管理システムのシステム構成について説明する。図９に布設情報管理システムのシステム構成の一例を示す。布設情報管理システムは、工事予定サーバ９１、回線情報サーバ９２、収容局情報サーバ９３、受付情報サーバ９４、管理サーバ９５、携帯情報端末６０、ＲＦＩＤ読取／書込装置７０から構成される。図９では、サーバが５台接続するように記載してあるが、これらのサーバは１台のコンピュータにまとめて配置してもよい。
【００６１】
ａ．管理サーバ９５
管理サーバ９５は、お客さまから回線利用の申込があったときに、お客さま情報や電柱情報などを生成して、工事予定サーバ９１、回線情報サーバ９２、収容局情報サーバ９３、受付情報サーバ９４のデータベースへ新規契約内容を登録する。
ケーブル布設作業では、管理サーバ９５はお客さま情報から、作業に必要なケーブル情報、クロージャ情報、電柱情報などの各情報を検索・編集して携帯情報端末６０へ保存する。
【００６２】
ｂ．携帯情報端末
携帯情報端末６０は、ケーブル布設作業にあたり作業者が携帯して各種情報の送受信を行う端末である。作業者は、携帯情報端末６０を操作して各サーバ９１，９２，９３，９４、９５にアクセスし、布設作業に必要な設計情報を取得する。また、携帯情報端末６０にはＲＦＩＤタグの読取部が備えられており、後述する「クロージャ情報読取手段」や「電柱情報読取手段」として機能する。
【００６３】
また、携帯情報端末６０は、接続されるクロージャが予め指定されたクロージャであるかどうかを判定する「クロージャ判定手段」として機能する。携帯情報端末６０は、各サーバから受信した情報と、ケーブル、クロージャ及び電柱の各ＲＦＩＤタグから読み取った情報と、ＲＦＩＤ読取／書込装置７０が読み取ったケーブル情報とを、記憶する記憶部を備えている。
【００６４】
ｃ．ＲＦＩＤ読取／書込装置
ＲＦＩＤ読取／書込装置７０には、ケーブルのＲＦＩＤタグに記録されたケーブル情報を読み取る読取部と、ＲＦＩＤタグへ新しい情報を書き込む書込部と、ケーブル長を算出する制御部が備えられている。ＲＦＩＤ読取／書込装置７０は、図８に示すように、ケーブルドラム８０からケーブルが布設され通過する際に、ＲＦＩＤタグの情報を読むように構成してもよい。また、書き込み可能なＲＦＩＤタグを使用する場合には、ＲＦＩＤ読取／書込装置を用いて、作業時の情報をＲＦＩＤタグへ記録するように構成してもよい。
【００６５】
ＲＦＩＤ読取／書込装置７０はＲＦＩＤタグから読み取った情報を、携帯情報端末６０に送る。また、制御部は、読み取ったケーブル情報のなかの「距離」情報に基づき、布設されるケーブルのケーブル長を算出する。
【００６６】
ＲＦＩＤ読取／書込装置７０の書込部は、布設作業時に布設情報として、ＲＦＩＤタグに「布設年月日」、「工事会社」、「管理番号」、「管理名称」などを書き込むことができる。
【００６７】
３．通信ケーブル布設作業
（１）幹線の布設
幹線の布設作業について説明する。本発明の実施形態の一つとして、作業者９が布設情報管理システムの支援を受けながら、クロージャ３ａから電柱４を経由して螺旋状ワイヤーの中をクロージャ３ａまで幹線を布設する作業について説明する。図６は、幹線・支線の布設方法の一例を示す。図１０に布設作業のフローチャートを示す。
【００６８】
ａ．前提条件
幹線の布設計画が決まると、設計担当者は、工事予定サーバ９１、回線情報サーバ９２、収容局情報サーバ９３、受付情報サーバ９４、管理サーバ９５の各サーバに、ケーブル布設作業のための設計情報を登録する。設計情報は、作業対象のケーブルＩＤ（幹線のインデックス）、布設工事予定日、ケーブルの製造年、布設作業の始点となるクロージャ、終点となるクロージャなどである。
【００６９】
ｂ．事前作業
布設作業前、作業者９は事業所などでネットワーク９０へ接続して布設情報管理システムから、布設作業の対象となる情報を検索する。例えば、図９に示すように、工事予定サーバ９１、回線情報サーバ９２、収容局情報サーバ９３、受付情報サーバ９４、管理サーバ９５の各サーバから、ケーブルＲＦＩＤ値、クロージャＲＦＩＤ値など該当するデータを設計情報として取得して、携帯情報端末６０に保存する。これらの情報は、布設作業の対象となるケーブルのケーブルＩＤ（幹線のインデックス）を入力（Ｓ１１１０）するなどして検索できるように設計されていることが望ましい。
【００７０】
ｃ．作業現場での確認
布設作業現場に到着した作業者９は、保存した設計情報を、携帯情報端末６０に表示して（Ｓ１１２０）、設計情報を確認しながら作業することができる。また、作業の事情や状況によって、作業者９は布設作業現場で、携帯情報端末６０を使い、各サーバにアクセスして、該当する設計情報を受信することもできる。
【００７１】
ｄ．作業対象のクロージャ確認
作業者９は、携帯している携帯情報端末６０の読取部で、布設作業の始点となる幹線１ａのクロージャ３ａに貼付されたＲＦＩＤタグ３１の、クロージャ情報を読み取り（Ｓ１１３０）、携帯情報端末６０の記憶部に保存する。作業者９は、携帯情報端末６０が読み取ったクロージャ３ａのクロージャＲＦＩＤタグの値と、先に携帯情報端末６０に保存している設計情報のクロージャＲＦＩＤタグの値とを、照合する。作業者９は、照合することにより、クロージャ３ａが布設作業の始点のクロージャであることを確認できるので、このクロージャ３ａから布設作業を開始する。
【００７２】
ｅ．ケーブルの接続作業
作業者９は、クロージャ３ａの端子台に、幹線１ａのケーブル１０の心線１２を接続（配線）し、幹線１ａの始点となるＲＦＩＤタグ１４を貼付する。作業者９は、貼付したＲＦＩＤタグ１４を、携帯情報端末６０の読取部で読み取る（Ｓ１１４０）。携帯情報端末６０は、この情報を記憶部で保存する。また、ケーブル１０の心線１２が、すでにクロージャ内で接続されている場合は、ＲＦＩＤタグ１４を貼付して、携帯情報端末６０で読み取り、記憶部で読み取った情報を保存する。
【００７３】
ｆ．ケーブルの布設
作業者９は、幹線１ａのケーブル布設作業を開始する。ＲＦＩＤ読取／書込装置７０は、布設されて通過するケーブル１０の一定間隔に貼付されている各ＲＦＩＤタグ１１を、順次読み取っていき（Ｓ１１４０）、読み取った情報をケーブル情報として携帯情報端末６０に送る。携帯情報端末６０は、そのケーブル情報を記憶部で保存する。
【００７４】
ｇ．布設情報の書込み
作業者９は、ＲＦＩＤ読取／書込装置７０の書込部で、幹線１ａのケーブル１０に貼付した各ＲＦＩＤタグ１１に、作業場所で取得することのできる布設情報として、「工事日」、「ＧＰＳデータ」などを書き込むこともできる。（Ｓ１１５０）。
【００７５】
ｈ．ケーブル長の算出
ＲＦＩＤ読取／書込装置７０の制御部は、ケーブル１０の各ＲＦＩＤタグ１１それぞれにあらかじめ記録されているケーブル情報に含まれる距離情報に基づき、布設した幹線ケーブルのケーブル長を算出する（Ｓ１１６０）。ＲＦＩＤ読取／書込装置７０は、算出したケーブル長を携帯情報端末６０に送る。携帯情報端末６０は、そのケーブル情報を記憶部で保存する。
【００７６】
ｉ．ケーブル予定長
作業者９は、幹線１ａのケーブル１０を布設していき、ケーブル１０が予定の長さに達したとき、ファンクションキーを押す（Ｓ１１７０）などしてシステムにケーブル１０が予定長に達したことを記憶させる（Ｓ１１８０）。この場合、ファンクションキーの他に、マウス、キー入力あるいは音声認証などを使ってもよい。
【００７７】
ｊ．電柱に到達
作業者９は、幹線１ａのケーブル１０を布設していき、その途中で、電柱４（４ａ、４ｂ、４ｃ）に到達したときは、ファンクションキーを押すなどしてシステムに電柱４に到達したことを知らせる（Ｓ１１９０）。この場合、ファンクションキーの他に、マウス、キー入力あるいは音声認証などを使ってもよい。
【００７８】
ｋ．電柱情報
作業者９は、携帯情報端末６０の読取部で、電柱４（４ａ、４ｂ、４ｃ）に貼付した、電柱番号４３を記入したＲＦＩＤタグ４５の電柱情報を読み取り、携帯情報端末６０の記憶部で保存する（Ｓ１２００）。また、電柱４の破損など何らかの事情によりＲＦＩＤタグ４５の電柱情報が読み取れなくても、電柱の近くのケーブルに取り付けられている共架札４４に貼付されたＲＦＩＤタグ４１の情報を、読み取り電柱情報とすることもできる。
【００７９】
ｌ．クロージャに到達
作業者９は、幹線１ａのケーブル１０を布設していき、クロージャ３ａに到達したとき、ファンクションキーを押すなどしてシステムにクロージャに到達したことを連絡する（Ｓ１２１０）。この場合、ファンクションキーの他に、マウス、キー入力あるいは音声認証などを使ってもよい。
【００８０】
ｍ．終点のクロージャに到達
作業者９は、布設してきたケーブル１０が、その制限内で布設作業の終点のクロージャ３ａに到達したら、端子台にケーブルの接続（配線）作業をおこなう。作業者９は、幹線１ａの終点となるクロージャ３ａ内に、ＲＦＩＤタグ１４を貼付して、携帯情報端末６０で読み取る（Ｓ１２２０）。携帯情報端末６０は、読み取った情報を記憶部に保存する。
【００８１】
ｎ．布設作業終了後の処理
幹線１ａの布設作業を終了した作業者９は、事業所などで布設作業中に携帯情報端末６０の記憶部で保存したクロージャ情報、電柱情報、およびＲＦＩＤ読取／書込装置７０が読み取り携帯情報端末６０が記憶部で保存しているケーブル情報を、布設情報として管理サーバ９５のデータベースに登録する（Ｓ１２３０）。
【００８２】
なお、作業の事情や状況によって、作業者９は、布設作業中に作業現場から携帯情報端末６０で読み取り保存している各情報を、順次管理サーバ９５などに送信してもよい。
【００８３】
このように、携帯情報端末６０とＲＦＩＤ読取／書込装置７０がケーブルの布設作業中に読み取った情報で、ケーブルの布設情報を作成することができる。
【００８４】
（２）支線の布設
支線の布設作業について説明する。本発明の実施形態の一つとして、作業者９が布設情報管理システムの支援を受けながら、クロージャ３ｂから電柱４を経由して螺旋状ワイヤーの中をクロージャ３ｂまで支線を布設する作業について説明する。図６は、幹線・支線の布設方法の一例を示す。
【００８５】
ａ．前提条件
支線の布設計画が決まると、設計担当者は、工事予定サーバ９１、回線情報サーバ９２、収容局情報サーバ９３、受付情報サーバ９４、管理サーバ９５の各サーバに、ケーブル布設作業のための設計情報を登録する。設計情報は、作業対象のケーブルＩＤ（支線のインデックス）、布設工事予定日、ケーブルの製造年、布設作業の始点となるクロージャ、終点となるクロージャなどである。
【００８６】
ｂ．事前作業
布設作業前、作業者９は事業所などでネットワーク９０へ接続して布設情報管理システムから、布設作業の対象となる情報を検索する。例えば、図９に示すように、工事予定サーバ９１、回線情報サーバ９２、収容局情報サーバ９３、受付情報サーバ９４、管理サーバ９５の各サーバから、ケーブルＲＦＩＤ値、クロージャＲＦＩＤ値など該当するデータを設計情報として取得して、携帯情報端末６０に保存する。これらの情報は、布設作業の対象となるケーブルのケーブルＩＤ（支線のインデックス）を入力（Ｓ１１１０）するなどして検索できるように設計されていることが望ましい。
【００８７】
ｃ．作業現場での確認
布設作業現場に到着した作業者９は、保存した設計情報を、携帯情報端末６０に表示して（Ｓ１１２０）、設計情報を確認しながら作業することができる。また、作業の事情や状況によって、作業者９は布設作業現場で、携帯情報端末６０を使い、各サーバにアクセスして、該当する設計情報を受信することもできる。
【００８８】
ｄ．作業対象のクロージャ確認
作業者９は、携帯している携帯情報端末６０の読取部で、布設作業の始点となる支線１ｂのクロージャ３ｂに貼付されたＲＦＩＤタグ３１の、クロージャ情報を読み取り（Ｓ１１３０）、携帯情報端末６０の記憶部に保存する。作業者９は、携帯情報端末６０が読み取ったクロージャ３ｂのクロージャＲＦＩＤタグの値と、先に携帯情報端末６０に保存している設計情報のクロージャＲＦＩＤタグの値とを、照合する。作業者９は、照合することにより、クロージャ３ｂが布設作業の始点のクロージャであることを確認できるので、このクロージャ３ｂから布設作業を開始する。
【００８９】
ｅ．ケーブルの接続作業
作業者９は、クロージャ３ｂの端子台に、支線１ｂのケーブル１０の心線１２を接続（配線）し、支線１ｂの始点となるＲＦＩＤタグ１４を貼付する。作業者９は、貼付したＲＦＩＤタグ１４を、携帯情報端末６０の読取部で読み取る（Ｓ１１４０）。携帯情報端末６０は、この情報を記憶部で保存する。また、ケーブル１０の心線１２が、すでにクロージャ内で接続されている場合は、ＲＦＩＤタグ１４を貼付して、携帯情報端末６０で読み取り、記憶部で読み取った情報を保存する。
【００９０】
ｆ．ケーブルの布設
作業者９は、支線１ｂのケーブル布設作業を開始する。ＲＦＩＤ読取／書込装置７０は、布設されて通過するケーブル１０の一定間隔に貼付されている各ＲＦＩＤタグ１１を、順次読み取っていき（Ｓ１１４０）、読み取った情報をケーブル情報として携帯情報端末６０に送る。携帯情報端末６０は、そのケーブル情報を記憶部で保存する。
【００９１】
ｇ．布設情報の書込み
作業者９は、ＲＦＩＤ読取／書込装置７０の書込部で、支線１ｂのケーブル１０に貼付した各ＲＦＩＤタグ１１に、作業場所で取得することのできる布設情報として、「工事日」、「ＧＰＳデータ」などを書き込むこともできる（Ｓ１１５０）。
【００９２】
ｈ．ケーブル長の算出
ＲＦＩＤ読取／書込装置７０の制御部は、ケーブル１０の各ＲＦＩＤタグ１１それぞれにあらかじめ記録されているケーブル情報に含まれる距離情報に基づき、布設した支線１ｂのケーブル長を算出する（Ｓ１１６０）。ＲＦＩＤ読取／書込装置７０は、算出したケーブル長を携帯情報端末６０に送る。携帯情報端末６０は、そのケーブル情報を記憶部で保存する。
【００９３】
ｉ．ケーブルの予定長
作業者９は、支線１ｂのケーブル１０を布設していき、ケーブル１０が予定の長さに達したとき、ファンクションキーを押す（Ｓ１１７０）などしてシステムにケーブルが予定の長さに達したことを記憶させる（Ｓ１１８０）。この場合、ファンクションキーの他に、マウス、キー入力あるいは音声認証などを使ってもよい。
【００９４】
ｊ．電柱に到達
作業者９は、支線１ｂのケーブル１０を布設していき、その途中で、電柱４（４ａ、４ｂ、４ｃ）に到達したときは、ファンクションキーを押すなどしてシステムに電柱４に到達したことを知らせる（Ｓ１１９０）。この場合、ファンクションキーの他に、マウス、キー入力あるいは音声認証などを使ってもよい。
【００９５】
ｋ．電柱情報
作業者９は、携帯情報端末６０の読取部で、電柱４（４ａ、４ｂ、４ｃ）に貼付した、電柱番号４３を記入したＲＦＩＤタグ４５の電柱情報を読み取り、携帯情報端末６０の記憶部で保存する（Ｓ１２００）。電柱４の破損など何らかの事情によりＲＦＩＤタグ４５の電柱情報が読み取れなくても、電柱４の近くのケーブルに取り付けられている共架札４４に貼付されたＲＦＩＤタグ４１の情報を、読み取り電柱情報とすることもできる。
【００９６】
ｌ．クロージャに到達
作業者９は、支線１ｂのケーブル１０を布設していき、クロージャ３ｂに到達したとき、ファンクションキーを押すなどしてシステムにクロージャに到達したことを知らせる（Ｓ１２１０）。この場合、ファンクションキーの他に、マウス、キー入力あるいは音声認証などを使ってもよい。
【００９７】
ｍ．終点のクロージャに到達
作業者９は、布設してきたケーブル１０が、その制限内で布設作業の終点のクロージャ３ｂに到達したら、ケーブルの接続（配線）作業をおこなう。作業者９は、支線１ｂの終点となるクロージャ３ｂ内に、ＲＦＩＤタグ１４を貼付して、携帯情報端末６０で読み取る（Ｓ１２２０）。携帯情報端末６０は、読み取った情報を記憶部に保存する。
【００９８】
ｎ．布設作業終了後の処理
支線１ｂの布設作業を終了した作業者９は、事業所などで布設作業中に携帯情報端末６０の記憶部で保存したクロージャ情報、電柱情報、およびＲＦＩＤ読取／書込装置７０が読み取り携帯情報端末６０が記憶部で保存しているケーブル情報を、布設情報として管理サーバ９５のデータベースに登録する（Ｓ１２３０）。
【００９９】
なお、作業の事情や状況によって、作業者９は、布設作業中に作業現場から携帯情報端末６０で読み取り保存している各情報を、順次管理サーバ９５などに送信してもよい。
【０１００】
このように、携帯情報端末６０とＲＦＩＤ読取／書込装置７０がケーブルの布設作業中に読み取った情報で、ケーブルの布設情報を作成することができる。
【０１０１】
（３）引込み線の布設
次に、引込み線の布設作業について説明する。本発明の実施形態の一つとして、作業者９が布設情報管理システムの支援を受けながら、クロージャ３ｂから電柱４を経由して螺旋状ワイヤー７の中を加入者宅５まで引込み線２を布設する作業について説明する。図７に引込み線の布設方法の一例を示す。図１２に布設作業のフローチャートを示す。
【０１０２】
ａ．前提条件
お客さまから申込があったとき，受付担当者がお客さまの情報をお客さま受付システムへ入力する。お客さま受付システムは、お客さまに関する設計情報を生成し、工事予定サーバ９１、回線情報サーバ９２、収容局情報サーバ９３、受付情報サーバ９４、管理サーバ９５に登録する。お客さまに関する設計情報とは、幹線ケーブルインデックス（回線番号）、工事予定日、お客さま番号、布設作業の始点となるクロージャなどである。
【０１０３】
ｂ．事前作業
布設作業前、作業者９は、事業所などでネットワーク９０へ接続して布設情報管理システムから、布設作業の対象となる情報を検索する。例えば、図９に示すように、工事予定サーバ９１、回線情報サーバ９２、収容局情報サーバ９３、受付情報サーバ９４、管理サーバ９５の各サーバから、ドロップケーブルＲＦＩＤタグ値、クロージャＲＦＩＤタグ値、始点の心線ＲＦＩＤタグ値またはクロージャの端子のＲＦＩＤ値など該当するデータを検索し、携帯情報端末６０に保存する。これらの情報は、お客さま番号を入力して（Ｓ２１１０）検索キーとして検索できるように設計されていることが望ましい。
【０１０４】
ｃ．作業現場での確認
引込み線布設作業現場に到着した作業者９は、保存した設計情報を、携帯情報端末６０に表示して（Ｓ２１２０）、設計情報を確認しながら作業することができる。また、作業の事情や状況によっては、作業者９は布設作業現場で、携帯情報端末６０を使い各サーバにアクセスして、該当するデータを受信することもできる。
【０１０５】
ｄ．作業対象のクロージャ確認
作業者９は、携帯している携帯情報端末６０の読取部で、布設作業の始点となるクロージャ３ｂに貼付されたＲＦＩＤタグ３１から、クロージャ情報を読み取り（Ｓ２１３０）、携帯情報端末６０の記憶部に保存する。作業者９は、携帯情報端末６０が読み取ったクロージャ３ｂのクロージャＲＦＩＤの値と、先に携帯情報端末６０に保存している設計情報のクロージャＲＦＩＤの値とを、照合する。（Ｓ２１４０）。作業者９は、照合することにより、クロージャ３ｂが引込み線布設作業の始点のクロージャであることを確認できる。確認できたら、このクロージャ３ｂから引込み線の布設作業を開始する。
【０１０６】
ｅ．ドロップケーブルの接続作業
作業者９は、クロージャ３ｂの端子台に、引込み線ドロップケーブル２０の心線２２を接続して、引込み線作業の始点となるＲＦＩＤタグ２４を貼付する。作業者９は、貼付されたＲＦＩＤタグ２４を、携帯情報端末６０で読み取る（Ｓ２１５０）。携帯情報端末６０は、この情報を記憶部で保存する。
【０１０７】
ｆ．ドロップケーブルの布設
作業者９は、ドロップケーブル２０の布設作業を開始する。作業者９は、ＲＦＩＤ読取／書込装置７０を使用して、布設するドロップケーブル２０に一定間隔に貼付されたケーブルの各ＲＦＩＤタグ２１を、順次読み取る（Ｓ２１５０）。読み取った情報はケーブル情報として携帯情報端末６０に一時的に記録される。
【０１０８】
ｇ．布設情報の書込み
各ＲＦＩＤタグ２１が、書き込み可能な種類のＲＦＩＤタグである場合は、作業者９は、ＲＦＩＤ読取／書込装置７０の書込部で、ドロップケーブル２０に貼付した各ＲＦＩＤタグ２１に、作業場所で取得することのできる布設情報として、「工事日」、「ＧＰＳデータ」などを書き込むこともできる（Ｓ２１６０）。
【０１０９】
ｈ．ケーブル長の算出
ＲＦＩＤ読取／書込装置７０の制御部は、ドロップケーブル２０のＲＦＩＤタグ２１それぞれにあらかじめ記録されているケーブル情報に含まれる距離情報に基づき、布設したドロップケーブル２０のケーブル長を算出する。ＲＦＩＤ読取／書込装置７０は、算出したケーブル長を携帯情報端末６０に送る。携帯情報端末６０は、そのケーブル情報を記憶部で保存する。
【０１１０】
ｉ．電柱に到達
作業者９は、加入者宅５に向けてドロップケーブル２０を布設していき、その途中で、電柱４ｅに到達したときは、ファンクションキーを押す（Ｓ２１８０）などしてシステムに電柱４ｅに到達したことを知らせる（Ｓ２２００）。この場合、ファンクションキーの他に、マウス、キー入力あるいは音声認証などを使ってもよい。
【０１１１】
ｊ．電柱情報
作業者９は、携帯情報端末６０の読取部で、電柱４ｅに貼付した、電柱番号４３を記入したＲＦＩＤタグ４５の電柱情報を読み取り、携帯情報端末６０の記憶部で保存する（Ｓ２２１０）。電柱４の破損など何らかの事情によりＲＦＩＤタグ４５の電柱情報が読み取れなくても、電柱４の近くのケーブルに取り付けられている共架札４４に貼付されたＲＦＩＤタグ４１の情報を、読み取り電柱情報とすることもできる。
【０１１２】
ｋ．加入者宅に到達
作業者９は、ドロップケーブル２０を布設していき、加入者宅５に到着すると（Ｓ２２２０）、ドロップケーブル２０と加入者宅５の家庭用光ファイバ終端装置（ルーター）５１との接続作業をおこなう。作業者９は、ドロップケーブル２０の終点となる家庭用光ファイバ終端装置（ルーター）５１に、ＲＦＩＤタグ５２を貼付して、携帯情報端末６０の読取部で、ＲＦＩＤタグ５２の情報を読み取る（Ｓ２２３０）。携帯情報端末６０は、読み取った情報を記憶部で保存する。
【０１１３】
ｌ．布設作業終了後の処理
引込み線の布設作業を終了した作業者９は、事業所などで布設作業中に、携帯情報端末６０の記憶部で保存したクロージャ情報、電柱情報、およびＲＦＩＤ読取／書込装置７０が読み取り携帯情報端末６０が記憶部で保存しているドロップケーブル情報を、布設情報として管理サーバ９５のデータベースに登録する（Ｓ２２４０）。
【０１１４】
なお、作業の事情や状況によっては、作業者９は、布設作業中に作業現場から携帯情報端末６０で読み取り保存している各情報を、順次管理サーバ９５などに送信してもよい。
【０１１５】
このように、携帯情報端末６０とＲＦＩＤ読取／書込装置７０が引込み線ドロップケーブルの布設作業中に読み取ったそれぞれの情報で、ケーブルの布設情報を作成することができる。また、家庭用光ファイバ終端装置５１に貼付された引込み線終点のＲＦＩＤタグ５２は、加入者宅５を示す情報として、台風災害や事故等の障害発生時の対応時の、ケーブル特定にも役に立つ。
【０１１６】
４．撤去作業
（１）引込み線の撤去
ａ．事前作業
作業者９は、撤去作業を行う前に、事業所などでネットワーク９０へ接続して布設情報管理システムから、撤去作業の対象となる情報を検索する。例えば、図９に示すように、工事予定サーバ９１、回線情報サーバ９２、収容局情報サーバ９３、受付情報サーバ９４、管理サーバ９５の各サーバから、ドロップケーブルＲＦＩＤタグ値、クロージャＲＦＩＤタグ値、始点の心線ＲＦＩＤタグ値またはクロージャの端子のＲＦＩＤ値など該当するデータを検索し、携帯情報端末６０に保存する。これらの情報は、お客さま番号を検索キーとして検索できるように設計されていることが望ましい。
【０１１７】
ｂ．作業現場での確認
引込み線の撤去作業現場に到着した作業者９は、布設情報を携帯情報端末６０に表示して、確認しながら作業することができる。また、作業の事情や状況によって、作業者９は携帯情報端末６０を使い、撤去作業をおこなう現場で、管理サーバ９５にアクセスして、該当するデータを受信することもできる。
【０１１８】
ｃ．作業対象のクロージャ確認
作業者９は、携帯している携帯情報端末６０の読取部で、撤去作業の始点となるクロージャ３ｂに貼付されたＲＦＩＤタグ３１から、クロージャ情報を読み取り、携帯情報端末６０の記憶部に保存する。作業者９は、携帯情報端末６０が読み取ったクロージャ３ｂのクロージャＲＦＩＤ値と、先に携帯情報端末６０に保存している布設情報の中のクロージャＲＦＩＤ値とを、照合する。作業者９は、照合することにより、クロージャ３ｂが引込み線撤去作業の始点のクロージャであることを確認できる。
【０１１９】
ｄ．作業対象の引込み線確認
作業者９は、確認したクロージャ３ｂ内に貼付されている各ＲＦＩＤタグ２４を、携帯情報端末６０で順次読み取りながら、表示されるＲＦＩＤタグ値と布設情報から得た撤去作業対象のドロップケーブル２０のＲＦＩＤタグ値とを照合していく。ＲＦＩＤタグ値が一致した心線２２は、撤去作業対象の加入者宅５に接続されているドロップケーブ２０であることが確認できる。
【０１２０】
ｅ．引込み線の撤去作業
作業者９は、ＲＦＩＤタグ値から確認した、ドロップケーブル２０のＲＦＩＤタグ２１を、携帯情報端末６０で読み取り、情報を記憶部で保存する。作業者９は、撤去対象のドロップケーブル２０の心線２２をクロージャ３ｂの端子台からはずす。
【０１２１】
クロージャ３ｂの端子台から、対象のドロップケーブル２０をはずすことで、作業者９は、このドロップケーブル２０を、加入者宅５の側から手繰り寄せて撤去することができる。
【０１２２】
ｆ．引込み線の撤去の情報処理
作業者９は、事務所へ帰ってから、前記撤去作業で取得したＲＦＩＤタグ値などの撤去に関する情報を、ケーブル情報管理システムへ登録する。ケーブル情報管理システムは、当該情報をデータベースから削除する。これにより、撤去作業が完了したことになる。
【０１２３】
５．災害時の対応
（１）台風災害や事故等の障害発生時に、引込み線を特定する。
ケース１．お客さま番号がわかっている場合
ａ．事前作業
お客さまから事故や災害などによる障害発生の連絡があり、お客さま番号が確認できるとき、作業者９は、作業を行う前に、事業所などでネットワーク９０へ接続して布設情報管理システムから、作業の対象となる情報を検索する。例えば、図９に示すように、工事予定サーバ９１、回線情報サーバ９２、収容局情報サーバ９３、受付情報サーバ９４、管理サーバ９５の各サーバから、ドロップケーブルＲＦＩＤタグ値、クロージャＲＦＩＤタグ値、始点の心線ＲＦＩＤタグ値またはクロージャの端子のＲＦＩＤ値、クロージャの端子のＲＦＩＤタグ値など該当するデータを検索し、携帯情報端末６０に保存する。これらの情報は、お客さま番号を検索キーとして検索できるように設計されていることが望ましい。障害発生時の事情や状況によって、作業者９は現場（作業地）で、携帯情報端末６０を使って管理サーバ９５に接続して、該当する各データを受信することもできる。
【０１２４】
ｂ．クロージャの特定
作業者９は、携帯情報端末６０に保存した、当該お客さまの布設情報のクロージャ３ｂのＲＦＩＤタグ３１の情報やＧＰＳデータなどから、そのクロージャの設置されている場所を特定する。
【０１２５】
ｃ．クロージャの確認
障害発生現場に到着した作業者９は、携帯している携帯情報端末６０で、該当クロージャに貼付されたＲＦＩＤタグ３１から、クロージャ情報を読み取り、携帯情報端末６０の記憶部に保存する。作業者９は、先に携帯情報端末６０に保存している布設情報を表示して、携帯情報端末６０が読み取った該当クロージャのクロージャＲＦＩＤタグ値と照合する。作業者９は、照合することにより当該クロージャが、障害が発生している加入者宅５のドロップケーブル２０が接続されているクロージャ３ｂと確認できる。
【０１２６】
ｄ．心線の照合
作業者９は、確認したクロージャ３ｂの端子台に接続されている心線２２のＲＦＩＤタグ２４を、携帯情報端末６０で順次読み取りながら、表示される心線のＲＦＩＤタグ値と布設情報から得た作業対象のＲＦＩＤタグ値とを照合していく。ＲＦＩＤタグ値が一致した心線２２は、障害が発生しているお客さま宅５に接続されているドロップケーブ２０であること確認できる。
【０１２７】
ｅ．ドロップケーブルの交換
作業者９は、心線２２のＲＦＩＤタグ値から確認した、ドロップケーブル２０のＲＦＩＤタグ２１を、携帯情報端末６０で読み取り、情報を記憶部で保存する。作業者９は、障害が発生したドロップケーブル２０をクロージャ３ｂの端子台からはずし、新たなドロップケーブル２０を、クロージャ３ｂの端子台に接続する。障害が発生したドロップケーブル２０を、クロージャ３ｂの端子台からはずすことで、作業者９は、このドロップケーブル２０を、加入者宅５の側から、手繰り寄せて回収することができる。また、新しいドロップケーブル２０を布設しながら、切り離したドロップケーブル２０を回収することもできる。作業者９は、新しいドロップケーブル２０の心線２２に始点となるＲＦＩＤタグ２４を貼付して、携帯情報端末６０で読み取り、記憶部で保存する。
【０１２８】
ｆ．ドロップケーブルの布設
作業者９は、加入者宅５に向けて新しいドロップケーブル２０の布設作業を開始する。ＲＦＩＤ読取／書込装置７０は、布設されて通過するドロップケーブル２０に、一定間隔に取り付けられているケーブルのＲＦＩＤタグ２１を、順次読み取ってゆき、読み取った情報をドロップケーブル情報として携帯情報端末６０に送る。携帯情報端末６０は、そのドロップケーブル情報を記憶部で保存する。
【０１２９】
この後の新しいドロップケーブルを布設する作業は、引込み線の布設作業と同様の手順で行われる。
【０１３０】
ｇ．作業終了後の処理
新たなドロップケーブルを布設して、障害のあったドロップケーブルを回収した作業者９は、事務所などに戻り、携帯情報端末６０が作業で読み取ったクロージャ情報、電柱情報、およびＲＦＩＤ読取／書込装置７０が読み取り携帯情報端末に保存されているケーブル情報、ドロップケーブル情報を、それぞれ廃棄するドロップケーブル２０の情報と新たにお客さま番号に対応するドロップケーブルケーブル２０の情報として、管理サーバ９５のそれぞれのデータベースに登録する。
【０１３１】
なお、作業の事情や状況によって、作業者９は、障害対応作業中に作業現場から携帯情報端末６０で各情報を、順次管理サーバなどに送信してもよい。
【０１３２】
ケース２．お客さま番号がわからない場合
ａ．事前作業
お客さまから事故や災害などによる障害発生の連絡があったが、お客さま番号が確認できないとき、作業者９は最初にお客さま宅（以後は加入者宅）５に出向く。
【０１３３】
ｂ．クロージャの確認
作業者９は、加入者宅５の家庭用光ファイバ終端装置５１に貼付されているＲＦＩＤタグ５２を、携帯情報端末６０で読み取り、保存する。作業者９は、携帯情報端末６０からネットワーク９０へ接続して布設情報管理システムから、作業の対象となる情報を検索する。例えば、図９に示すように、工事予定サーバ９１、回線情報サーバ９２、収容局情報サーバ９３、受付情報サーバ９４、管理サーバ９５の各サーバから、ドロップケーブルＲＦＩＤタグ番号、クロージャＲＦＩＤタグ番号、始点の心線ＲＦＩＤタグ番号など該当するデータを検索し、携帯情報端末６０に保存する。これらの情報は、家庭用光ファイバ終端装置５１に貼付されているＲＦＩＤタグ５２番号を検索キーとして検索できるように設計されていることが望ましい。障害発生時の事情や状況によって、作業者９は現場（作業地）で、布設情報管理システムから、加入者宅５のお客さま番号、引込み線のドロップケーブルのインデックス、クロージャのＲＦＩＤタグ番号、始点の心線ＲＦＩＤタグ番号、ＧＰＳ情報などを、携帯情報端末６０に保存してもよい。
【０１３４】
ｃ．クロージャの照合
携帯情報端末６０に保存した情報をもとに、クロージャのある場所に移動した作業者９は、クロージャ３ｂ内の心線ＲＦＩＤタグ２４の番号を、携帯情報端末で順次読み取り、該当するドロップケーブル２０のＲＦＩＤタグ２４であるか照合する。ＲＦＩＤタグ番号が一致した心線２２は、障害が発生しているお客さま宅５に接続されているドロップケーブ２０であることを確認できるので、作業者９は、このドロップケーブル２０をクロージャ３ｂの端子台からはずす。
【０１３５】
この後の新しいドロップケーブルを布設する作業は、引込み線の布設作業と同様の手順で行われる。
【０１３６】
ｄ．作業終了後の処理
新たなドロップケーブルを布設して、障害のあったドロップケーブルを回収した作業者９は、事務所などに戻り、携帯情報端末６０が作業で読み取ったクロージャ情報、電柱情報、およびＲＦＩＤ読取／書込装置７０が読み取り携帯情報端末に保存されているケーブル情報、ドロップケーブル情報を、それぞれ廃棄するドロップケーブル２０の情報と新たにお客さま番号に対応するドロップケーブルケーブル２０の情報として、管理サーバ９５のそれぞれのデータベースに登録する。
【０１３７】
なお、作業の事情や状況によって、作業者９は、障害対応作業中に作業現場から携帯情報端末６０で各情報を、順次管理サーバなどに送信してもよい。
【０１３８】
（２）沿線火災の場合に、ケーブルを特定する。
本実施形態によると、通信ケーブルが布設されている沿線で火災が発生した場合、被害を受ける可能性があるケーブルを特定することができる。被害の範囲を推定できたら、影響の出る可能性のあるお客さまに連絡をしたり、迂回路を活用して通信が中断しないように対策を講じることができる。
【０１３９】
ａ．ケーブル、電柱の特定
作業者９は、事業所などでネットワーク９０へ接続して布設情報管理システムから、火災現場に近く火災の被害によるケーブルの交換作業の対象となる可能性のある幹線１ａ・支線１ｂ、クロージャ３、電柱４を検索する。まず、図９に示すように、工事予定サーバ９１、回線情報サーバ９２、収容局情報サーバ９３、受付情報サーバ９４、管理サーバ９５の各サーバなどから、ＧＰＳデータを検索キーとして影響を受ける幹線１ａ・支線１ｂ、電柱４の特定をすることができる。取得した情報は、携帯情報端末６０に保存する。
【０１４０】
ｂ．クロージャの特定
作業者９は、特定した幹線１ａ・支線１ｂのケーブルＩＤ（幹線・支線のインデックス）を検索キーとして、布設情報管理システムから、それぞれのケーブルのクロージャ情報を取得して、携帯情報端末６０に保存する。クロージャを特定することにより、火災ではなくケーブルの交換作業の影響を受ける広範囲のケーブルも特定できる。
【０１４１】
ｃ．ドロップケーブルの特定
次に、作業者９は、特定した幹線１ａ・支線１ｂのケーブルＩＤを検索キーとして、布設情報管理システムから、各幹線１ａ・支線１ｂに接続している引込み線のドロップケーブルの情報を取得する。例えば、ドロップケーブルインデックス、お客さま番号、クロージャ情報、家庭用光ファイバ終端装置のＲＦＩＤ情報などである。そして、お客さま番号を検索キーとして、お客さま情報を取得して、加入者への連絡などの対応を取る事もできる。取得したドロップケーブルの情報は、携帯情報端末６０に保存する。
【０１４２】
ｄ．優先順位
また、作業者９は、ドロップケーブルの情報の引込み線の本数量などから各幹線１ａ・支線１ｂの通信量を把握できるので、復旧作業の優先順位を判断する目安となり、加入者に対して最小限の影響で収める事のできる復旧作業の計画を立てる事ができる。
【０１４３】
ｅ．復旧作業
作業者９は、復旧作業の計画を基に、ケーブルの交換作業に出向く。
この後のケーブルの交換作業は、ケーブルの布設作業と同様の手順で行われる。
【０１４４】
本実施形態に係る布設情報管理システムは、以上のように構成されているので、次のような作用効果を奏する。
【０１４５】
ケーブル布設時においては、ケーブル及び心線を識別する場合、丸ケーブルの心線をクロージャ端末に接続し、ＲＦＩＤタグを付け、電子的方法により接続先や加入者を識別してデータベースに登録することができるようになる。一旦データベースに登録したら、以後はタグの情報を電子的に読んでデータベースを検索すれば、丸ケーブルの心線やクロージャなどを電子的に識別することができる。この方法によれば、従来のように識別コードを目視確認する必要が無いため、視力に頼らず作業できるようになる。従って、老眼になった熟練作業員が視力のハンデを負うことなく作業に従事できる。
【０１４６】
更に、通信回線を利用してオンラインでデータベースへ接続すると、接続先や加入者を現場で確認することが可能になる。それにより、作業のミスを防ぐとともに作業の安全性を高めることができる。
【０１４７】
ケーブル撤去時においては、クロージャの端子位置で、どの引込線が加入者宅に接続されているかを電子的に調べることができる。従って、クロージャの端子台から引込み線をはずし、加入者宅の側から引込み線を引っ張って撤去することができる。
【０１４８】
電柱の支障移転に対応する場合には、切断箇所において，クロージャ及び加入者宅を識別できる。
【０１４９】
台風災害や事故等の障害発生時においては、ケーブル断線など障害の起きた場所で，クロージャ及び加入者宅を識別できる。
【０１５０】
布設される丸ケーブル１０，ドロップケーブル２０には長さ方向に沿って複数のケーブル情報が記録されており、ケーブル情報読取手段であるＲＦＩＤ読取／書込装置７０により、布設時に丸ケーブル１０，ドロップケーブル２０が布設されるのに応じて読み取るようになっているため、ケーブル情報を別途手作業により転記するなどの必要がなく、容易に収集することができる。そして、読み取ったケーブル情報を携帯情報端末６０に保存して、布設される丸ケーブル１０，ドロップケーブル２０の布設情報を作成するので、布設後の保守管理に必要な布設情報を容易に作成することができる。
【０１５１】
また、ケーブル情報には布設される丸ケーブル１０，ドロップケーブル２０の起点からの距離情報が含まれており、距離情報に基づき、ケーブル長算出手段であるＲＦＩＤ読取／書込装置７０によりケーブル長が算出されるので、別途手作業でケーブル長を算出する必要はない。
【０１５２】
また、ケーブル情報に布設される丸ケーブル１０，ドロップケーブル２０の製品情報を含めることにより、製造者や製造年などの特定の製造条件により該当するケーブルを特定して抽出することが可能であり、保守管理時にスムーズに対応することができる。
例えば、ケーブルにロット不良があることが判明した場合、製造番号をキーとして検索することにより、取り替えるべきケーブルを容易に抽出し、影響のあるお客さまを特定することができる。また、経過年数ごとにケーブルを取り替える場合には、製造年をキーとして検索すればよい。
【０１５３】
また、クロージャ情報読取手段である携帯情報端末６０により、布設される丸ケーブル１０，ドロップケーブル２０が接続されるクロージャを特定するクロージャ情報を読み取り、読み取ったクロージャ情報に基づき布設情報を作成するので、クロージャ単位で保守管理を行う場合に、関連するクロージャを特定して影響のあるケーブルを特定することができる。
【０１５４】
また、クロージャ判定手段である携帯情報端末６０により、接続されるクロージャが予め指定されたクロージャかどうかを判定するので、接続しようとするクロージャ３ｂが正しいかどうかを確認することができる。
【０１５５】
また、電柱情報読取手段である携帯情報端末６０により、布設される丸ケーブル１０，ドロップケーブル２０が通過する電柱４を特定する電柱情報を読み取り、読み取った電柱情報に基づき布設情報を作成するので、台風災害や事故等の障害発生時や電柱の支障移転の際に、関連する電柱を選択して検索キーとし、影響のあるケーブルを容易に特定することができる。
【０１５６】
以上、本実施形態によれば、通信網とその布設工事、保守作業において、ケーブルの布設作業時及びケーブル布設後の保守管理に必要な布設情報を作成し管理することで、従来不可能であった目視に因らない通信ケーブルや心線の識別、作業対照物の確認、災害時の影響範囲の予測などが可能になる。
【０１５７】
なお、本実施形態では、各情報を記録するために、ＲＦＩＤタグを用いたが、機器による読み取りが可能なものであれば、特に限定されない。
【符号の説明】
【０１５８】
１    幹線・支線
１ａ  幹線
１ｂ  支線
２    引込み線
３    クロージャ
３ａ  クロージャ（幹線）
３ｂ  クロージャ（支線）
４    電柱
５    加入者宅
６    テンションワイヤー
７    螺旋状ワイヤー
８    作業車
９    作業者
１０    丸ケーブル
１１    ＲＦＩＤタグ（丸ケーブル）
１２    心線
１３    ケーブル延線治具
１４    ＲＦＩＤタグ
２０    ドロップケーブル
２１    ＲＦＩＤタグ(ドロップケーブル)
２２    心線
２３    テンションワイヤー(ドロップケーブル)
２４    ＲＦＩＤタグ
３１    ＲＦＩＤタグ(クロージャ)
４１    ＲＦＩＤタグ（共架札）
４２    支持具
４３    電柱番号
４４    共架札
４５    ＲＦＩＤタグ（電柱番号）
５１    家庭用光ファイバ終端装置（ルーター）
５２    ＲＦＩＤタグ（ルーター）
６０    携帯情報端末（ＰＤＡ）
７０    ＲＦＩＤ読取／書込装置
７１    送受信部
８０    ケーブルドラム
９０    ネットワーク
９１    工事予定サーバ
９２    回線情報サーバ
９３    収容局情報サーバ
９４    受付情報サーバ
９５    管理サーバ
Ｓ    局舎
１２０    幹線データベース
１２１    幹線データベースの設計情報テーブル
１２２    幹線データベースのケーブル情報テーブル
１２５    幹線データベースの電柱情報テーブル
１３０    ドロップケーブルデータベース
１３１    ドロップケーブルデータベースの設計情報テーブル
１３２    ドロップケーブルデータベースのケーブル情報テーブル
１３５    ドロップケーブルデータベースの電柱情報テーブル
１４０    心線データベース
１４１    心線データベースの設計情報テーブル
１４２    心線データベースのケーブル情報テーブル
１４５    心線データベースの電柱情報テーブル
【図１】
0005890086.tif 000002
【図２】
0005890086.tif 000003
【図３】
0005890086.tif 000004
【図４】
0005890086.tif 000005
【図５】
0005890086.tif 000006
【図６】
0005890086.tif 000007
【図７】
0005890086.tif 000008
【図８】
0005890086.tif 000009
【図９】
0005890086.tif 000010
【図１０】
0005890086.tif 000011
【図１１】
0005890086.tif 000012
【図１２】
0005890086.tif 000013
【図１３】
0005890086.tif 000014
【図１４】
0005890086.tif 000015
【図１５】
0005890086.tif 000016
【図１６】
0005890086.tif 000017
【図１７】
0005890086.tif 000018
【図１８】
0005890086.tif 000019
【図１９】
0005890086.tif 000020
【図２０】
0005890086.tif 000021
【図２１】
0005890086.tif 000022